【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
１つまたは複数のプロセッサによって実行される、コンピュータで実施可能な方法であって、前記方法は、
前記１つまたは複数のプロセッサによって、第１の期間にわたって複数の通信を受信するステップであって、前記複数の通信は、コンピューティングデバイスのユーザと知り合いとの間のものであり、前記コンピューティングデバイスにおいて、前記知り合いは、知り合いリストに記憶された前記知り合いに関する知り合いデータによって識別される、ステップと、
前記１つまたは複数のプロセッサによって、前記複数の通信から、前記第１の期間における前記知り合いとの通信の変化率を決定するステップと、
前記１つまたは複数のプロセッサによって、前記第１の期間における前記知り合いとの前記通信の変化率に基づいて、前記知り合いは選好される知り合いとして指定されるべきであると判定するステップと、
前記コンピューティングデバイスの前記ユーザに対する表示のために、前記知り合いは選好される知り合いとして指定されるべきであるとの通知を提供するステップと
を含む、方法。
【請求項２】
前記コンピューティングデバイスを、前記コンピューティングデバイスが選好される知り合いとして指定された知り合いからのみ受信された通信を前記ユーザに通知する通信制限モードに移行させるステップをさらに含む、請求項１に記載の方法。
【請求項３】
前記知り合いに関する前記知り合いデータと関連して、前記知り合いが選好される知り合いであるとの指示を記憶するステップと、
第２のコンピューティングデバイスに、前記コンピューティングデバイスの位置に関連付けられたGPS座標を定義するデータを送信するステップであって、前記第２のコンピューティングデバイスは、前記知り合いが選好される知り合いであるとの前記指示に基づいて指定された前記知り合いに関する知り合いデータによって識別される、ステップと
をさらに含む請求項１に記載の方法。
【請求項４】
前記コンピューティングデバイスの前記ユーザに対する表示のために、前記知り合いは選好される知り合いとして指定されるべきであるとの前記通知を提供するステップは、前記コンピューティングデバイスの前記ユーザに対する表示のために、前記知り合いを選好される知り合いとして指定するユーザ選択可能オプションを提供するステップを含み、
前記方法は、
前記ユーザが前記知り合いを選好される知り合いとして指定する前記ユーザ選択可能オプションを選択したとの指示を受信するステップと、
前記知り合いに関する前記知り合いデータと関連して、前記知り合いが選好される知り合いであるとの指示を記憶するステップと、
をさらに含む、請求項１に記載の方法。
【請求項５】
前記複数の通信から、第２の期間において前記ユーザと前記知り合いとの間に発生した通信試行の数を決定するステップであって、前記第２の期間は前記第１の期間よりも短い、ステップと、
（ａ）前記第１の期間における前記知り合いとの前記通信の変化率と、
（ｂ）前記第２の期間における前記ユーザと前記知り合いとの間の前記通信試行の数と
に基づいて、前記知り合いは選好される知り合いとして指定されるべきであると判定するステップと
をさらに含む、請求項１に記載の方法。
【請求項６】
前記知り合いは選好される知り合いとして指定されるべきであると判定するステップは、
前記第１の期間における前記知り合いとの前記通信の変化率に基づいて前記知り合いの知り合いスコアを決定するステップと、
前記知り合いスコアと選好される知り合いのしきい値とを比較するステップであって、前記選好される知り合いのしきい値は、前記知り合いリストからの知り合いのサブセットに対する知り合いスコアに基づく、ステップと
を含む、請求項１に記載の方法。
【請求項７】
前記知り合いリストからの前記知り合いのサブセット内の各知り合いが、選好される知り合いとして指定される、請求項６に記載の方法。
【請求項８】
前記知り合いリストからの前記知り合いのサブセット内の各知り合いが、前記知り合いリスト内の知り合いの全部に対して知り合いスコアの上位１０％に入る知り合いスコアを有する、請求項６に記載の方法。
【請求項９】
前記知り合いは選好される知り合いとして指定されるべきであると判定するステップは、
（ａ）前記第１の期間における前記知り合いとの前記通信の変化率と、
（ｂ）前記第２の期間における前記ユーザと前記知り合いとの間の前記通信試行の数と
に基づいて、前記知り合いの知り合いスコアを決定するステップと、
前記知り合いスコアと選好される知り合いのしきい値とを比較するステップであって、前記選好される知り合いのしきい値は、前記知り合いリストからの知り合いのサブセットに対する知り合いスコアに基づく、ステップと
を含む、請求項５に記載の方法。
【請求項１０】
前記複数の通信から、前記第１の期間における前記知り合いとの前記通信の変化率を決定するステップは、前記複数の通信から、（ａ）前記第１の期間における前記知り合いとの通信の頻度、および（ｂ）前記第１の期間における前記知り合いとの前記通信の頻度と、以前の期間における前記知り合いとの通信の頻度との差を決定するステップを含む、請求項１に記載の方法。
【請求項１１】
１つまたは複数のプロセッサによって実行される、コンピュータで実施可能な方法であって、前記方法は、
前記１つまたは複数のプロセッサによって、第１の期間にわたって複数の通信を受信するステップであって、前記複数の通信は、コンピューティングデバイスのユーザと知り合いとの間のものであり、前記コンピューティングデバイスにおいて、前記知り合いは、知り合いリストに記憶された前記知り合いに関する知り合いデータによって識別される、ステップと、
前記複数の通信から、第２の期間において前記ユーザと前記知り合いとの間で発生した通信試行の数を決定するステップであって、前記第２の期間は、前記第１の期間よりも短い、ステップと、
前記第２の期間における前記ユーザと前記知り合いとの間の前記通信試行の数に基づいて、前記知り合いは選好される知り合いとして指定されるべきであると判定するステップと、
前記コンピューティングデバイスの前記ユーザに対する表示のために、前記知り合いは選好される知り合いとして指定されるべきであるとの通知を提供するステップと
を含む、方法。
【請求項１２】
前記コンピューティングデバイスを、前記コンピューティングデバイスが選好される知り合いとして指定された知り合いからのみ受信された通信を前記ユーザに通知する通信制限モードに移行させるステップをさらに含む、請求項１１に記載の方法。
【請求項１３】
前記知り合いに関する前記知り合いデータと関連して、前記知り合いが選好される知り合いであるとの指示を記憶するステップと、
第２のコンピューティングデバイスに、前記コンピューティングデバイスの位置に関連付けられたGPS座標を定義するデータを送信するステップであって、前記第２のコンピューティングデバイスは、前記知り合いが選好される知り合いであるとの前記指示に基づいて指定された前記知り合いに関する知り合いデータによって識別される、ステップと
をさらに含む、請求項１１に記載の方法。
【請求項１４】
前記コンピューティングデバイスの前記ユーザに対する表示のために、前記知り合いは選好される知り合いとして指定されるべきであるとの前記通知を提供するステップは、前記コンピューティングデバイスの前記ユーザに対する表示のために、前記知り合いを選好される知り合いとして指定するユーザ選択可能オプションを提供するステップを含み、
前記方法は、
前記ユーザが前記知り合いを選好される知り合いとして指定する前記ユーザ選択可能オプションを選択したとの指示を受信するステップと、
前記知り合いに関する前記知り合いデータと関連して、前記知り合いが選好される知り合いであるとの指示を記憶するステップと、
をさらに含む、請求項１１に記載の方法。
【請求項１５】
前記知り合いは選好される知り合いとして指定されるべきであると判定するステップは、
前記第２の期間における前記ユーザと前記知り合いとの間の前記通信試行の数に基づいて前記知り合いの知り合いスコアを決定するステップと、
前記知り合いスコアと選好される知り合いのしきい値とを比較するステップであって、前記選好される知り合いのしきい値は、前記知り合いリストからの知り合いのサブセットに対する知り合いスコアに基づく、ステップと
を含む、請求項１１に記載の方法。
【請求項１６】
前記知り合いリストからの前記知り合いのサブセット内の各知り合いが、選好される知り合いとして指定される、請求項１５に記載の方法。
【請求項１７】
前記知り合いリストからの前記知り合いのサブセット内の各知り合いが、前記知り合いリスト内の知り合いの全部に対して知り合いスコアの上位１０％に入る知り合いスコアを有する、請求項１５に記載の方法。
【請求項１８】
前記知り合いは選好される知り合いとして指定されるべきであると判定するステップは、
前記第２の期間における前記ユーザと前記知り合いとの間の前記通信試行の数のうちの少なくとも２回で使用された第１の通信タイプおよび第２の通信タイプを識別するステップであって、前記第１の通信タイプは、前記第２の通信タイプとは異なる、ステップと、
（ａ）前記第２の期間における前記ユーザと前記知り合いとの間の前記通信試行の数と、
（ｂ）前記第１の通信タイプおよび前記第２の通信タイプと
に基づいて、前記知り合いの知り合いスコアを決定するステップと、
前記知り合いスコアと選好される知り合いのしきい値とを比較するステップであって、前記選好される知り合いのしきい値は、前記知り合いリストからの知り合いのサブセットに対する知り合いスコアに基づく、ステップと
を含む、請求項１１に記載の方法。
【請求項１９】
前記第１の通信タイプは、電話、電子メール、テキストメッセージ、インスタントメッセージ、ビデオチャット、またはソーシャルネットワーキングのいずれか１つである、請求項１８に記載の方法。
【請求項２０】
１つまたは複数のプロセッサと、前記１つまたは複数のプロセッサに結合され、前記１つまたは複数のプロセッサによって実行された場合、以下の動作を前記１つまたは複数のプロセッサに実行させるための命令を記憶しているコンピュータ可読媒体とを備えたシステムであって、前記動作は、
第１の期間にわたって複数の通信を受信するステップであって、前記複数の通信は、コンピューティングデバイスのユーザと知り合いとの間のものであり、前記知り合いは、知り合いリストに記憶された前記知り合いに関する知り合いデータによって識別される、ステップと、
前記複数の通信から、前記第１の期間における前記知り合いとの通信の変化率を決定するステップと、
前記第１の期間における前記知り合いとの前記通信の変化率に基づいて、前記知り合いは選好される知り合いとして指定されるべきであると判定するステップと、
前記ユーザに対する表示のために、前記知り合いは選好される知り合いとして指定されるべきであるとの通知を提供するステップと
を含む、システム。
【請求項２１】
１つまたは複数のプロセッサによって実行される、コンピュータで実施可能な方法であって、前記方法は、
前記１つまたは複数のプロセッサによって、第１の期間にわたって複数の通信を受信するステップであって、前記複数の通信は、コンピューティングデバイスのユーザと知り合いとの間のものであり、前記コンピューティングデバイスにおいて、前記知り合いは、知り合いリストに記憶された前記知り合いに関する知り合いデータによって識別される、ステップと、
前記１つまたは複数のプロセッサによって、前記複数の通信から、第１の期間において前記ユーザと前記知り合いとの間で発生した通信試行の数を決定するステップと、
前記１つまたは複数のプロセッサによって、前記第１の期間における前記ユーザと前記知り合いとの間の前記通信試行の数に基づいて、前記知り合いは選好される知り合いとして指定されるべきであると判定するステップと、
前記コンピューティングデバイスの前記ユーザに対する表示のために、前記知り合いは選好される知り合いとして指定されるべきであるとの通知を提供するステップと
を含む、方法。
【請求項２２】
１つまたは複数のプロセッサと、前記１つまたは複数のプロセッサに結合され、前記１つまたは複数のプロセッサによって実行された場合、以下の動作を前記１つまたは複数のプロセッサに実行させるための命令を記憶しているデータストアとを備えたシステムであって、前記動作は、
第１の期間にわたって複数の通信を受信するステップであって、前記複数の通信は、コンピューティングデバイスのユーザと知り合いとの間のものであり、前記コンピューティングデバイスにおいて、前記知り合いは、知り合いリストに記憶された前記知り合いに関する知り合いデータによって識別される、ステップと、
前記複数の通信から、第１の期間において前記ユーザと前記知り合いとの間で発生した通信試行の数を決定するステップと、
前記第１の期間における前記ユーザと前記知り合いとの間の前記通信試行の数に基づいて、前記知り合いは選好される知り合いとして指定されるべきであると判定するステップと、
前記コンピューティングデバイスの前記ユーザに対する表示のために、前記知り合いは選好される知り合いとして指定されるべきであるとの通知を提供するステップと
を含む、システム。
【請求項２３】
少なくとも１つのプロセッサによって実行された場合、以下の動作を前記少なくとも１つのプロセッサに実行させるための命令を記憶している非一時的コンピュータ可読媒体であって、前記動作は、
第１の期間にわたって複数の通信を受信するステップであって、前記複数の通信は、コンピューティングデバイスのユーザと知り合いとの間のものであり、前記コンピューティングデバイスにおいて、前記知り合いは、知り合いリストに記憶された前記知り合いに関する知り合いデータによって識別される、ステップと、
前記複数の通信から、第１の期間において前記ユーザと前記知り合いとの間で発生した通信試行の数を決定するステップと、
前記第１の期間における前記ユーザと前記知り合いとの間の前記通信試行の数に基づいて、前記知り合いは選好される知り合いとして指定されるべきであると判定するステップと、
前記コンピューティングデバイスの前記ユーザに対する表示のために、前記知り合いは選好される知り合いとして指定されるべきであるとの通知を提供するステップと
を含む、コンピュータ可読媒体。